(57)【要約】    【課題】一対の開閉扉を画像表示手段の前側の突出位置で当接させたときに、一方の開閉扉の姿勢を他方の開閉扉に追従させて対応姿勢に修正できるようにする。    【解決手段】画像表示手段２９の左右両側の退避位置Ｙと、画像表示手段２９の前側の突出位置Ｘとの間で左右方向に移動自在な左右一対の開閉扉５３ａ，５３ｂの内、その一方の開閉扉５３ａとこれを支持する支持部材５７との間に、この一方の開閉扉５３ａの姿勢を修正する姿勢修正手段５８が設けられている。姿勢修正手段５８は両開閉扉５３ａ，５３ｂが離間状態のときに一方の開閉扉５３ａを支持部材５７に対して適正姿勢に付勢し、且つ両開閉扉５３ａ，５３ｂが接近して当接したときに、一方の開閉扉５３ａの姿勢を他方の開閉扉５３ｂに追従させて対応姿勢に修正するようになっている。【選択図】  図４
2011224193.tif 000002
【特許請求の範囲】
【請求項１】
相手側部材に対して遠近方向に移動可能な可動部材を含む可動演出手段を備えた遊技機において、前記相手側部材と前記可動部材との少なくとも一方の部材と該一方の部材を支持する支持部材との間に、該一方の部材の姿勢を修正する姿勢修正手段を備え、該姿勢修正手段は前記相手側部材と前記可動部材とが離間状態のときに前記一方の部材を前記支持部材に対して適正姿勢に付勢し且つ前記相手側部材と前記可動部材とが接近して当接したときに他方の部材に追従して前記付勢に抗しながら前記一方の部材の姿勢を該他方の部材と対応する対応姿勢に修正することを特徴とする遊技機。
【請求項２】
遠近方向に移動可能な複数個の可動部材を備え、隣り合う前記両可動部材の少なくとも一方の可動部材を前記姿勢修正手段を介して前記支持部材に装着し、前記姿勢修正手段は前記両可動部材が当接したときに前記少なくとも一方の可動部材の姿勢を前記対応姿勢に修正することを特徴とする請求項１に記載の遊技機。
【請求項３】
前記姿勢修正手段は前記可動部材を前記支持部材に対して姿勢修正方向に移動自在に支持する案内手段と、前記可動部材を前記支持部材に対して前記適正姿勢に付勢する付勢手段とを備えたことを特徴とする請求項２に記載の遊技機。
【請求項４】
前記可動部材の移動方向と略直交する方向の両側に前記案内手段と前記付勢手段とを備えたことを特徴とする請求項３に記載の遊技機。
【請求項５】
画像表示手段の両側に、該画像表示手段の前面の突出位置と該画像表示手段の側部の退避位置との間で移動自在な一対の開閉扉を備え、該一対の開閉扉の内の一方の開閉扉と、該開閉扉を支持する前記支持部材との間に前記姿勢修正手段を備えたことを特徴とする請求項１〜４の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、近年、大型の画像表示手段を搭載したものが主流となっており、各社とも、その画像表示手段に表示される演出画像等により他社製品との差別化を図ってきたが、画像表示手段に表示するバーチャルな演出画像による差別化のみではもはや他社製品との差別化を十分に図ることが難しくなってきている。そこで、画像による演出に機械的な動作を組み合わせてより演出効果を高めようと、例えば画像表示手段の前側に可動部材を設けたものが開発されている。
【０００３】
例えば、画像表示手段の前側の左右両側に配置された左右一対の開閉扉と、この各開閉扉の下部を画像表示手段の前面の突出位置と左右両側の退避位置との間で左右方向に移動自在に案内する案内手段と、各開閉扉を案内手段に沿って左右方向に駆動する駆動手段とを含む可動演出手段を備えたものがある（特許文献１、２参照）。
【０００４】
このような可動演出手段では、左右の開閉扉を画像表示手段の前面の突出位置へと移動させて、その画像表示手段の前面で左右の開閉扉を当接させたときには、左右の開閉扉により画像表示手段の前面を全閉状態にできるので、全閉後の開閉扉の開放動作と、画像表示手段に表示される演出画像とをリンクさせる等、開閉扉の開閉と、その前後で画像表示手段に表示される演出画像とを組み合わせることにより演出効果を一段と高めることができる。
【０００５】
しかし、左右の開閉扉を画像表示手段の前面で当接させて全閉状態にしたときに、左右の開閉扉の端縁間の上部側に製作誤差、ガタツキ等によって隙間が生じる惧れがある。その防止対策として、特許文献１の場合には、開閉扉が全閉状態又はその近傍にきたときに、各開閉扉の閉鎖方向後部側を押し上げ突起により上向きに押し上げて、各開閉扉の端縁同士を当接させるように構成し、また特許文献２の場合には、駆動手段とは別に開閉扉に設けられた上下一対のラックと、固定側に設けられ且つ各ラックに噛合して一体回転する上下一対のピニオンとを備え、開閉扉の開閉時に上下のラック、ピニオンを介して開閉扉の上下両端が同時に同一量だけ移動するように構成している。
【先行技術文献】
【特許文献】
【０００６】
【特許文献１】特開２００７−６１４８８号公報
【特許文献２】特開２００９−１１８９５３号公報
【発明の開示】
【発明が解決しようとする課題】
【０００７】
特許文献１、２の何れの場合にも、製作誤差、ガタツキ等による隙間の発生を一応は防止することができる。しかし、特許文献１の場合には、開閉扉が全閉状態又はその近傍にきたときに開閉扉が押し上げ突起に乗り上げて、この押し上げ突起で開閉扉の閉鎖方向後部側を上向きに押し上げているため、押し上げ突起が摩耗し易く、また摩耗すれば開閉扉の押し上げ効果が極端に低下して隙間の発生を防止し得ない欠点がある。特許文献２の場合には、各開閉扉の上下両端側にラック・ピニオンを設ける必要があり、構造的に複雑になると共に、ラック又はピニオンの位置にバラツキ等があれば隙間の発生を防止し得ない欠点がある。
【０００８】
本発明は、このような従来の問題点に鑑み、可動部材が相手側部材に接近して当接したときに、少なくとも一方の部材の姿勢を他方の部材に対応する対応姿勢に修正でき、しかも構造を簡単にでき耐久性の向上を図ることができる遊技機を提供することを目的とする。
【課題を解決するための手段】
【０００９】
本発明は、相手側部材に対して遠近方向に移動可能な可動部材を含む可動演出手段を備えた遊技機において、前記相手側部材と前記可動部材との少なくとも一方の部材と該一方の部材を支持する支持部材との間に、該一方の部材の姿勢を修正する姿勢修正手段を備え、該姿勢修正手段は前記相手側部材と前記可動部材とが離間状態のときに前記一方の部材を前記支持部材に対して適正姿勢に付勢し且つ前記相手側部材と前記可動部材とが接近して当接したときに他方の部材に追従して前記付勢に抗しながら前記一方の部材の姿勢を該他方の部材と対応する対応姿勢に修正するものである。
【発明の効果】
【００１０】
本発明によれば、可動部材が相手側部材に接近して当接したときに、少なくとも一方の部材の姿勢を他方の部材に対応する対応姿勢に修正でき、しかも構造を簡単にでき耐久性の向上を図ることができる利点がある。
【図面の簡単な説明】
【００１１】
【図１】本発明の第１の実施形態を示すパチンコ機の全体正面図である。
【図２】センターケースの正面図で、（Ａ）は開閉扉を開いた状態、（Ｂ）は開閉扉を閉じた状態である。
【図３】センターケースの側面断面図である。
【図４】開閉扉を開いた状態での裏構造体の正面断面図である。
【図５】開閉扉を閉じた状態での裏構造体の正面断面図である。
【図６】（Ａ）は姿勢修正手段の案内手段側の平面断面図、（Ｂ）は姿勢修正手段の付勢手段側の平面断面図である。
【図７】姿勢修正手段の分解斜視図である。
【図８】（Ａ）（Ｂ）は動作説明図である。
【図９】本発明の第２の実施形態を示す裏構造体の正面断面図である。
【図１０】裏構造体の平面断面図である。
【図１１】本発明の第３の実施形態を示す裏構造体の正面断面図である。
【図１２】裏構造体の平面断面図である。
【図１３】本発明の第４の実施形態を示す裏構造体の正面断面図である。
【図１４】裏構造体の平面断面図である。
【図１５】本発明の第５の実施形態を示す裏構造体の正面断面図である。
【図１６】裏構造体の平面断面図である。
【図１７】変形例を示す裏構造体の正面断面図である。
【図１８】本発明の第６の実施形態を示す裏構造体の正面断面図である。
【図１９】裏構造体の側面断面図である。
【図２０】本発明の第７の実施形態を示す裏構造体の正面図である。
【図２１】裏構造体の平面断面図である。
【図２２】変形例を示す裏構造体の正面断面図である。
【図２３】本発明の第８の実施形態を示す正面図である。
【発明を実施するための最良の形態】
【００１２】
以下、本発明の実施形態を図面に基づいて詳述する。図１〜図８は本発明をパチンコ機に採用した第１の実施形態を例示している。図１において、遊技機本体１は、矩形状の外枠２と、この外枠２の前側にヒンジにより開閉自在に枢着された前枠３とを備えている。前枠３の前側には、前枠３に開閉自在に枢支されたガラス扉４と前面板５とが上下に配置されている。
【００１３】
前面板５の前側には発射用の遊技球を貯留する上皿６が、前面板５の下側で前枠３の前側には余剰球を貯留する下皿７が夫々配置されている。下皿７の一側には遊技球を発射する発射手段（図示省略）の発射ハンドル８が設けられている。
【００１４】
前枠３にはガラス扉４の後側に対応するように遊技盤２１が着脱自在に装着されている。遊技盤２１の前面側には、発射手段から発射された遊技球を案内するガイドレール２２が環状に装着されると共に、このガイドレール２２の内側の遊技領域２３にセンターケース２４、普通図柄始動手段２５、特別図柄始動手段２６、大入賞手段２７、普通入賞手段２８、画像表示手段２９等の各種遊技部品が配置されている。
【００１５】
センターケース２４は、遊技盤２１上の遊技領域２３の略中央に配置されており、図２〜図５等に示すように、遊技盤２１の前側から着脱自在に装着される前構造体３１と、この前構造体３１に対応して遊技盤２１の裏側に設けられる裏構造体３２とで構成され、裏構造体３２の背面側に画像表示手段２９が配置されている。
【００１６】
前構造体３１は、裏構造体３２側の画像表示手段２９に対応する略矩形状の前表示窓３３を備え、この前表示窓３３の上側に入球案内手段３４を、左右に球落下通路３５ａ，３５ｂを、下側に球案内ステージ３６を夫々備えている。
【００１７】
入球案内手段３４は、遊技領域２３内に打ち込まれた遊技球を入球させて左右の球落下通路３５ａ，３５ｂの何れかに振り分けるもので、例えば斜め上方に向けて開口する入球口３７に入球した遊技球を振り分けステージ３８上で左右方向に転動させ、左右の球落下通路３５ａ，３５ｂの上流側に夫々連通する入口３８ａ，３８ｂの何れかに流入させるようになっている。
【００１８】
球落下通路３５ａ，３５ｂは、入球案内手段３４側の入口３８ａ，３８ｂに流入した遊技球を球案内ステージ３６側に案内するもので、前表示窓３３の左右に上下方向に配置されており、その下端部に、遊技球を球案内ステージ３６側に向けて排出する排出口３９ａ，３９ｂが設けられている。
【００１９】
球案内ステージ３６は、球落下通路３５ａ，３５ｂ側から流入してきた遊技球を左右方向に転動させた後に下方の特別図柄始動手段２６側に落下させるもので、上ステージ３６ａと下ステージ３６ｂとが上下に配置されており、球落下通路３５ａ，３５ｂの排出口３９ａ，３９ｂから流入した遊技球を上ステージ３６ａ上で左右方向に転動させた後、球落とし孔４１から下ステージ３６ｂ上に落下させ、この下ステージ３６ｂの左右方向中央又はその両側の何れかから遊技球を前側に落下させるようになっている。
【００２０】
なお、前構造体３１は、その周囲に薄板状の盤面装着部４２を鍔状に備えており、後部側を遊技盤２１の装着孔２１ａに前側から嵌合させ、盤面装着部４２を遊技盤２１の前面側に密着させた状態で、ネジ止め、圧入等により遊技盤２１に対して着脱自在に固定されている。
【００２１】
裏構造体３２は、図３〜図６に示すように、画像表示手段２９と、この画像表示手段２９の前側を開閉する可動演出手段４３と、それら画像表示手段２９、可動演出手段４３等を遊技盤２１の裏側に固定する裏ケース４４とを備えている。
【００２２】
裏ケース４４は、略矩形状の前壁板４５と、この前壁板４５の上下左右の縁部から前向きに突設された周壁板４６と、この周壁板４６の後縁側に装着された背壁板４７とで略箱形に形成されており、前カバー体４８を介して遊技盤２１の裏面に着脱自在に固定されている。
【００２３】
裏ケース４４の背壁板４７には、前構造体３１側の前表示窓３３に対応する矩形状の後表示窓４９が略中央に形成され、この後表示窓４９に表示画面２９ａを一致させるように画像表示手段２９が背壁板４７の裏側に着脱自在に装着されている。前カバー体４８には、前表示窓３３に対応する矩形状の開口部４８ａが形成されており、この開口部４８ａ内に透明板５０が嵌め込まれている。
【００２４】
可動演出手段４３は画像表示手段２９の表示画面２９ａの前側を両引き戸型の扉により開閉するもので、裏ケース４４内に収容されている。この可動演出手段４３は画像表示手段２９の左右両側に配置された左右一対の開閉扉（可動部材）５３ａ，５３ｂと、画像表示手段２９の上下両側に配置され且つ画像表示手段２９の前面の突出位置Ｘと左右両側の退避位置Ｙとの間で開閉扉５３ａ，５３ｂを左右方向に案内する上部案内手段５４ａ，５４ｂ及び下部案内手段５５ａ，５５ｂと、画像表示手段２９の下側で下部案内手段５５ａ，５５ｂの近傍に配置され且つ各案内手段５４ａ，５４ｂ，５５ａ，５５ｂに沿って各開閉扉５３ａ，５３ｂを左右方向に駆動する駆動手段５６ａ，５６ｂとを備え、一方の開閉扉５３ａとこれを裏側から支持する支持部材５７との間に姿勢修正手段５８が組み込まれている。なお、開閉扉５３ａ，５３ｂは遠近方向に移動自在な可動部材を構成する。
【００２５】
突出位置Ｘは画像表示手段２９の前面で左右の開閉扉５３ａ，５３ｂの対向する端縁５９ａ，５９ｂ同士が略当接して画像表示手段２９の前側を覆う閉鎖位置であり、退避位置Ｙは左右の開閉扉５３ａ，５３ｂが離間して画像表示手段２９の前側を開放する開放位置である。従って、各開閉扉５３ａ，５３ｂは、例えば画像表示手段２９に表示される演出画像の表示態様に応じて所定の動作パターンに従って、駆動手段５６ａ，５６ｂの駆動により逆方向に移動して画像表示手段２９の前側を開閉するようになっている。
【００２６】
開閉扉５３ａ，５３ｂはその端縁５９ａ，５９ｂ同士が当接したときに、画像表示手段２９の前側の後表示窓４９を塞ぐ大きさの縦長矩形状に構成されている。この左右の開閉扉５３ａ，５３ｂの内、その一方の開閉扉５３ａは図３〜図７に示すように、姿勢修正手段５８、支持部材５７を介して上部案内手段５４ａ及び下部案内手段５５ａにより支持されている。
【００２７】
上部案内手段５４ａ，５４ｂは前後に所定の間隔をおいて裏ケース４４内に固定された左右方向の案内レール６０と、この案内レール６０間に配置され且つ支持部材５７、開閉扉５３ｂの上端に縦軸を介して軸支された左右一対の案内輪６１ａ，６１ｂとを有する。下部案内手段５５ａ，５５ｂは裏ケース４４内に左右方向に固定された棒状の案内レール６２と、支持部材５７、開閉扉５３ａ，５３ｂの下端部に設けられ且つ案内レール６２に摺動自在に套嵌された案内部６３ａ，６３ｂとを有する。
【００２８】
支持部材５７は裏ケース４４の前表示窓３３から見たときに開閉扉５３ａの裏側に隠れる左右幅を有し、この支持部材５７の前側に姿勢修正手段５８を介して開閉扉５３ａが装着されている。姿勢修正手段５８は両開閉扉５３ａ，５３ｂが離間状態のときに開閉扉５３ａを支持部材５７に対して適正姿勢に付勢し、且つ両開閉扉５３ａ，５３ｂが接近して当接したときに、相手側の開閉扉５３ｂに追従して開閉扉５３ａの姿勢を相手側の開閉扉５３ｂと対応する対応姿勢に修正するようになっている。
【００２９】
即ち、この姿勢修正手段５８は、図３〜図７に示すように、開閉扉５３ａを支持部材５７に対して左右方向（姿勢修正方向）に移動自在に支持する上下一対の案内手段６４と、開閉扉５３ａ，５３ｂを支持部材５７に対して適正姿勢に付勢する付勢手段６５とを備えている。
【００３０】
案内手段６４は支持部材５７に形成された左右方向の長孔状の案内孔６６と、開閉扉５３ａ，５３ｂから裏側へと突出して案内孔６６に摺動自在に挿通する左右一対の案内突起６７と、支持部材５７の裏側から各案内突起６７に螺合する外れ止め部６８とにより構成されている。なお、外れ止め部６８は省略してもよい。
【００３１】
付勢手段６５は開閉扉５３ａと支持部材５７とに左右に相対向して設けられたバネ受け部６９，７０と、一方のバネ受け部６９に設けられ且つ他方のバネ受け部７０に挿通された左右方向の支持棒７１と、一対のバネ受け部６９，７０間で支持棒７１の外周に套嵌されたバネ７２とを備えている。
【００３２】
従って、開閉扉５３ａは相手側の開閉扉５３ｂと離間状態のときに、相手側の開閉扉５３ｂに近い上下の案内突起６７が案内孔６６の端部に係合する適正姿勢に付勢されており、端縁５９ａが相手側の開閉扉５３ｂの端縁５９ｂと当接したときに、付勢手段６５に抗しながら案内手段６４に沿って支持部材５７に対して修正方向に移動して、端縁５９ａ，５９ｂ同士が隙間なく当接する対応姿勢へと姿勢変更可能である。
【００３３】
駆動手段５６ａ，５６ｂは支持部材５７、開閉扉５３ｂの下端部に固定された左右方向のラック７４ａ，７４ｂと、このラック７４ａ，７４ｂに噛合するピニオン７５ａ，７５ｂと、裏ケース４４に固定され且つピニオン７５ａ，７５ｂを前後方向の回転軸廻りに駆動する駆動モータ７６ａ，７６ｂとを備え、支持部材５７、開閉扉５３ｂに対応して左右逆向きに配置されている。
【００３４】
このようなパチンコ機では、可動演出手段４３は通常、開閉扉５３ａ，５３ｂが左右の退避位置Ｙで停止して表示画面２９ａの全体が前側から視認可能な状態となっている（図１、図２（Ａ）、図４参照）。また左側の開閉扉５３ａは付勢手段６５のバネ７２により、右側の開閉扉５３ｂに近い案内突起６７が案内孔６６の端部に係合する適正姿勢に保持されている。
【００３５】
例えば遊技動作中に遊技制御手段（図示省略）から開閉扉５３ａ，５３ｂの閉鎖指令が出力されると、可動演出手段４３を制御する演出制御手段（図示省略）により、各駆動モータ７６ａ，７６ｂに閉鎖方向への駆動指令が送信される。これにより各駆動モータ７６ａ，７６ｂが互いに閉鎖方向に回転するので、ピニオン７５ａ，７５ｂ、ラック７４ａ，７４ｂを介して左右の開閉扉５３ａ，５３ｂが駆動され、各開閉扉５３ａ，５３ｂが上部案内手段５４ａ，５４ｂ、下部案内手段５５ａ，５５ｂに沿って一定速度で左右両側から突出位置Ｘへと接近移動する。
【００３６】
各開閉扉５３ａ，５３ｂが突出位置Ｘまで達すると、その端縁５９ａ，５９ｂ同士が当接して画像表示手段２９の前側を全閉する。各開閉扉５３ａ，５３ｂはその端縁５９ａ，５９ｂが略垂直状に設計し製作されており、突出位置Ｘでは端縁５９ａ，５９ｂ同士が図２（Ｂ）、図５に示すように隙間のない状態で当接する。
【００３７】
しかし、左右の開閉扉５３ａ，５３ｂの何れか一方又は両方の端縁５９ａ，５９ｂが傾斜している場合でも、その一方の開閉扉５３ａが姿勢修正手段５８を介して支持部材５７に装着されているので、両開閉扉５３ａ，５３ｂの端縁５９ａ，５９ｂが当接したときに、姿勢修正手段５８の作動により、開閉扉５３ａが付勢手段６５の付勢に抗しながら開閉扉５３ｂに追従して対応姿勢へと修正され、両開閉扉５３ａ，５３ｂの端縁５９ａ，５９ｂの略全長で隙間なく当接させることができる。
【００３８】
例えば図８（Ａ）に示すように開閉扉５３ａの端縁５９ａが垂直状態で、開閉扉５３ｂの端縁５９ｂが若干傾斜状態である場合には、両開閉扉５３ａ，５３ｂがａ矢示方向に移動して接近したときにその端縁５９ａ，５９ｂの下端同士が当接し、開閉扉５３ａの下端部がｂ矢示方向に押圧される。そして、開閉扉５３ａが上下の付勢手段６５に抗しながら案内手段６４が許容する範囲内で支持部材５７に対してｃ矢示方向に回動する。従って、両開閉扉５３ａ，５３ｂの端縁５９ａ，５９ｂ同士が図８（Ｂ）に示すように略平行に当接し、その端縁５９ａ，５９ｂ間の隙間の発生を防止することができる。
【００３９】
また姿勢修正手段５８は開閉扉５３ａを支持部材５７に対して姿勢修正方向に移動自在に案内する案内手段６４と、開閉扉５３ａを支持部材５７に対して適正姿勢に付勢する付勢手段６５とを備えているので、簡単な構造で耐久性を向上させることができる。
【００４０】
図９及び図１０は本発明の第２の実施形態を例示する。この実施形態の姿勢修正手段５８は上下一対の案内手段６４を備え、その案内手段６４に付勢手段６５を構成するバネ７２が組み込まれたものである。案内手段６４は開閉扉５３ａの裏側に固定された左右方向の案内ロッド７９を備え、この案内ロッド７９により支持部材５７の摺動部８０が左右方向に摺動自在に案内されるようになっている。案内ロッド７９は開閉扉５３ａの中間のバネ受け部７０を貫通して左右両端の補強リブ８１間に支持されている。摺動部８０は支持部材５７の左右の補強リブにより構成されているが、共に補強リブ以外の部分に設けてもよい。
【００４１】
開閉扉５３ａには支持部材５７が当接するストッパー８２が設けられ、このストッパー８２と支持部材５７とが当接するように、摺動部８０とバネ受け部７０との間で案内ロッド７９上にバネ７２が套嵌されている。
【００４２】
この場合にも、開閉扉５３ａは案内手段６４とバネ７２とにより支持部材５７に対して適正姿勢に保持されている。そして、左右の開閉扉５３ａ，５３ｂが当接したときに、開閉扉５３ａの姿勢がバネ７２に抗しながら相手側の開閉扉５３ｂに追従して対応姿勢へと変化するので、左右の開閉扉５３ａ，５３ｂ間の隙間の発生を防止することができる。また案内手段６４にバネ７２を組み込んでいるので、案内手段６４と付勢手段６５とを別々に設ける場合に比較して構造を簡単にすることができる。なお、案内手段６４は支持部材５７に対して開閉扉５３ａ，５３ｂを左右方向に移動可能に案内できるものであれば十分である。
【００４３】
図１１及び図１２は本発明の第３の実施形態を例示する。この実施形態では、画像表示手段２９の左右方向の一方側の近傍に配置された当接部材８４と、他方側の近傍の退避位置Ｙに配置され且つ伸縮自在に連結された開閉扉５３ａ，５３ｂと、開閉扉５３ａを駆動する駆動手段５６とを備えている。
【００４４】
当接部材８４は画像表示手段２９の側縁に沿って上下方向に配置され、適当箇所で適宜手段により裏ケース４４内に固定されている。開閉扉５３ａ，５３ｂは上部案内手段５４、下部案内手段５５により左右方向に移動自在に支持されると共に伸縮連結手段８５を介して伸縮自在に連結されており、退避位置Ｙでは最小状態に収縮し、開閉扉５３ａが当接部材８４に当接する突出位置Ｘでは最大状態に伸長して画像表示手段２９の前側を全閉するようになっている。
【００４５】
伸縮連結手段８５は開閉扉５３ｂに設けられた左右の係合部８６ａ，８６ｂと、この係合部８６ａ，８６ｂ間で開閉扉５３ａに設けられ且つ開閉扉５３ａの左右方向への移動時に移動方向の前方側の係合部８６ａ，８６ｂに係合して開閉扉５３ｂを連動させる連結部８７とを備え、開閉扉５３ａが伸縮代分だけ移動した後に開閉扉５３ｂが連動して移動するようになっている。
【００４６】
開閉扉５３ａはその裏側の支持部材５７に姿勢修正手段５８を介して装着され、当接部材８４に当接可能である。なお、姿勢修正手段５８は例えば第１の実施形態と略同様である。また支持部材５７、開閉扉５３ｂは上部案内手段５４、下部案内手段５５により左右方向に移動自在に支持されている。上部案内手段５４、下部案内手段５５は案内輪６１ａ，６１ｂ、８８ａ，８８ｂと、この案内輪６１ａ，６１ｂ、８８ａ，８８ｂを案内する案内レール６０，６２とを有する。
【００４７】
駆動手段５６は左右の駆動輪８９ａと従動輪８９ｂとに巻き掛けられ且つ支持部材５７に連結された回動索９０と、駆動輪８９ａを駆動する駆動モータと７６を有し、駆動モータ７６の正逆転により回動索９０を介して支持部材５７を上部案内手段５４、下部案内手段５５に沿って左右方向に駆動するようになっている。なお、駆動手段５６は他の構成でもよい。
【００４８】
通常の遊技中は、各開閉扉５３ａ，５３ｂは収縮状態で退避位置Ｙに保持されている。演出指令があると、駆動モータ７６が正転し支持部材５７を介して開閉扉５３ａが退避位置Ｙから画像表示手段２９の前側へと移動する。そして、開閉扉５３ａが伸縮代分だけ移動すると、伸縮連結手段８５の連結部８７が係合部８６ａに係合して両開閉扉５３ａ，５３ｂが伸長状態で連結されるので、両開閉扉５３ａ，５３ｂが最大伸長状態で一体に移動し、その後、開閉扉５３ａの端縁５９ａが当接部材８４に当接して画像表示手段２９の前側を覆う。
【００４９】
その後、退避指令があると、駆動モータ７６が逆転し支持部材５７を介して開閉扉５３ａが画像表示手段２９の前側から退避位置Ｙへと移動する。そして、開閉扉５３ａが伸縮代分だけ移動して開閉扉５３ｂの裏側に重なると、伸縮連結手段８５の連結部８７が係合部８６ｂに係合して両開閉扉５３ａ，５３ｂが前後に重なった状態で退避位置Ｙへと一体に移動する。
【００５０】
このように開閉扉５３ａが固定の当接部材８４に当接するような場合にも、その開閉扉５３ａを姿勢修正手段５８を介して支持部材５７に装着しておくことにより、開閉扉５３ａの姿勢を当接部材８４に追従して対応姿勢に修正することができ、当接部材８４と開閉扉５３ａとの間での隙間の発生を防止することができる。従って、第１の実施形態に例示するように左右両側の開閉扉５３ａ，５３ｂが共に左右方向に移動する場合の他、一方が固定の場合にも同様に実施することが可能である。
【００５１】
図１３及び図１４は本発明の第４の実施形態を例示する。この実施形態では、画像表示手段２９の一側近傍に設けられ且つ開閉扉５３ａが突出位置Ｘへと移動したときに当接する当接部材８４と、これを支持する固定側の支持部材５７との間に姿勢修正手段５８を介在し、開閉扉５３ａが当接したときにその端縁５９ａに追従して当接部材８４の姿勢が変化するようにしたものである。
【００５２】
支持部材５７は画像表示手段２９の側縁近傍で裏ケース４４に適宜部材を介して固定されている。当接部材８４は支持部材５７の補強リブ等に前面及び上面から左右方向に摺動自在に当接している。姿勢修正手段５８は支持部材５７に対して当接部材８４を開閉扉５３ａ側に付勢するバネ７２により構成されている。バネ７２は上下方向の中間部が支持部材５７のバネ保持部９２に固定されると共に、このバネ保持部９２から上下両側に突出する各端部が当接部材８４の上下一対のバネ取り付け部９３に取り付けられている。当接部材８４には、支持部材５７に当接するストッパー８２が開閉扉５３ａと反対側に設けられている。
【００５３】
このように当接部材８４を姿勢修正手段５８を介して支持部材５７に装着した場合にも、当接部材８４と開閉扉５３ａとの端縁５９ａが当接したときの隙間の発生を防止することができる。例えば、図１３に二点鎖線で示すように開閉扉５３ａの端縁５９ａが傾斜した状態であっても、端縁５９ａの下部が当接したときに当接部材８４の下部側がバネ７２に抗して矢示方向に移動する。そして、当接部材８４の端縁８４ａが開閉扉５３ａの端縁５９ａに追従して傾斜するため、両者間の隙間の発生を防止することができる。
【００５４】
図１５〜１７は本発明の第５の実施形態を例示する。この実施形態では、開閉扉５３ａと支持部材５７との間の姿勢修正手段５８を前後方向の枢軸式にしたものである。この姿勢修正手段５８は開閉扉５３ａを支持部材５７に回動自在に枢支する枢軸９５と、適正姿勢のときに支持部材５７に当接するストッパー８２と、支持部材５７に対して開閉扉５３ａを枢軸９５廻りに適正姿勢へと付勢するバネ７２とを備えている。
【００５５】
開閉扉５３ａの端縁５９ａは、両開閉扉５３ａ，５３ｂの端縁５９ａ，５９ｂ同士が当接したときにストッパー８２が支持部材５７から離れる方向に開閉扉５３ａを回動させるべく鉛直方向に対して角度αだけ傾斜している。例えば、両開閉扉５３ａ，５３ｂが接近したときに、開閉扉５３ａの上端側が開閉扉５３ｂに先に当接する場合には、図１５に示すように下端側が開閉扉５３ａから離間する方向に角度α傾斜している。なお、開閉扉５３ｂの下端側が開閉扉５３ａに先に当接する場合には、図１７に示すように上端側が開閉扉５３ａ，５３ｂから離間する方向に角度α傾斜するようにしてもよい。また開閉扉５３ｂの端縁５９ｂを傾斜させてもよい。バネ７２はつる巻き式である。
【００５６】
このような姿勢修正手段５８を採用した場合にも、開閉扉５３ａ，５３ｂの端縁５９ａ，５９ｂ同士が当接したときに、開閉扉５３ａが支持部材５７に対して枢軸９５廻りに矢示方向に回動するので、両開閉扉５３ａ，５３ｂの端縁５９ａ，５９ｂ間の隙間の発生を防止することができる。また姿勢修正手段５８が枢軸式であるため、その構造を更に簡素化することが可能である。更に開閉扉５３ａの端縁５９ａの角度αが大になるほど、開閉扉５３ａの姿勢の修正代を大にすることができる。なお、開閉扉５３ｂの端縁５９ｂを傾斜状にしてもよい。
【００５７】
図１８及び図１９は本発明の第６の実施形態を例示する。この実施形態では、画像表示手段２９の上下両側に、画像表示手段２９の前面の突出位置Ｘと上下両側の退避位置Ｙとの間で上下方向に移動する一対の開閉扉５３ａ，５３ｂを備えたものである。
【００５８】
一対の開閉扉５３ａ，５３ｂの内、その一方は姿勢修正手段５８を介して支持部材５７に装着されている。支持部材５７と他方の開閉扉５３ｂは、左右両側の側部案内手段９７により上下方向に移動自在に支持され、左右両側の駆動手段５６により逆方向に上下動するようになっている。姿勢修正手段５８は他の実施形態の何れかと略同様の構成であり、両開閉扉５３ａ，５３ｂの端縁５９ａ，５９ｂ同士が当接するときに、開閉扉５３ａの姿勢が開閉扉５３ｂの端縁５９ｂに追従して対応姿勢に変化するようになっている。なお、駆動手段５６はラック７４ａ，７４ｂ、ピニオン７５、駆動モータ７６により構成され、駆動モータ７６の正逆転により、両開閉扉５３ａ，５３ｂが逆方向に移動するようになっている。
【００５９】
このように開閉扉５３ａ，５３ｂを画像表示手段２９の上下両側に設けた場合には、その何れか一方の開閉扉５３ａ，５３ｂを姿勢修正手段５８を介して支持部材５７に姿勢修正可能に設けることができ、上下の開閉扉５３ａ，５３ｂ間の隙間の発生を防止することができる。
【００６０】
図２０〜図２２は本発明の第７の実施形態を例示する。この実施形態では、画像表示手段２９の上下両側の退避位置Ｙと、画像表示手段２９の前面の突出位置Ｘとの間で上下方向に出退揺動する一対の揺動部材９８ａ，９８ｂを備えたものである。
【００６１】
各揺動部材９８ａ，９８ｂは画像表示手段２９の略対角線方向の外側近傍で支軸９９ａ，９９ｂ廻りに揺動自在に略対称に配置されている。一方の揺動部材９８ａは支軸９９ａ廻りに揺動する支持部材５７の先端側に姿勢修正手段５８を介して装着されている。支持部材５７、揺動部材９８ｂは支軸９９ａ，９９ｂ廻りに揺動自在であり、支持部材５７、揺動部材９８ｂと一体回転する従動ギヤー１００ａ，１００ｂと、駆動モータ７６ａ，７６ｂと、駆動モータ７６ａ，７６ｂの回転軸に固定され且つ従動ギヤー１００ａ，１００ｂに噛合する駆動ギヤー１０１ａ，１０１ｂとを備えた駆動手段５６ａ，５６ｂにより支軸９９ａ，９９ｂ廻りに出退駆動可能である。
【００６２】
一対の揺動部材９８ａ，９８ｂは画像表示手段２９の前面の突出位置Ｘで端縁５９ａ，５９ｂ同士が当接して、例えば両者でＳ字を構成するようになっている。姿勢修正手段５８は図２１に示すように揺動部材９８ａを支持部材５７の先端部に揺動自在に枢着する枢軸９５と、揺動部材９８ａが適正姿勢のときに支持部材５７に当接するストッパー８２と、支持部材５７とストッパー８２とが当接すべく支持部材５７に対して揺動部材９８ａを適正姿勢に付勢するバネ７２とを備えている。
【００６３】
この場合には各揺動部材９８ａ，９８ｂが支軸９９ａ，９９ｂ廻りに退避位置Ｙから突出位置Ｘへと揺動したときには、その端縁５９ａ，５９ｂ同士が上下両側から当接して全体としてＳ字を構成する。両揺動部材９８ａ，９８ｂの端縁５９ａ，５９ｂが当接する際に、例えば揺動部材９８ａの端縁５９ａの支軸９９ａから遠い側が先に当接する片当たりがあれば、揺動部材９８ａがバネ７２に抗しながら枢軸９５廻りに矢示方向に回動して揺動部材９８ｂの端縁５９ｂに対応する対応姿勢へと追従する。従って、このような場合にも、揺動部材９８ａ，９８ｂの端縁５９ａ，５９ｂ間の隙間の発生を防止することができる。
【００６４】
姿勢修正手段５８は図２２に示すように支持部材５７に形成された案内孔６６と、揺動部材９８ａに設けられ且つ案内孔６６に嵌合する案内突起６７と、揺動部材９８ａ及び支持部材５７のバネ受け部１０２，１０３に介在された圧縮式のバネ７２とを備えたものでもよい。
【００６５】
図２３は本発明の第８の実施形態を例示する。この実施形態では、左右両側の退避位置Ｙと画像表示手段２９の前面の突出位置Ｘとの間で左右方向に移動自在な左右一対の可動枠１０４ａ，１０４ｂを備え、この可動枠１０４ａ，１０４ｂが突出位置Ｘへと移動したときに画像表示手段２９の前側で表示窓１０５を構成し、これに同期して画像表示手段２９が表示窓１０５内に所定の演出画像１０６を表示するようにしたものである。
【００６６】
各可動枠１０４ａ，１０４ｂは当接時に表示窓１０５を構成するように倒立Ｆ字状に構成され、その一方の可動枠１０４ａが姿勢修正手段５８を介して裏側の支持部材５７に姿勢修正可能に装着されている。他方の可動枠１０４ｂ、支持部材５７は上部案内手段５４を介して左右方向に移動自在であり、図外の駆動手段の駆動により逆方向に出退するようになっている。なお、姿勢修正手段５８は各実施形態に例示の何れを採用してもよい。
【００６７】
このような可動枠１０４ａ，１０４ｂを備えた可動演出手段４３の場合にも、一方の可動枠１０４ａとその裏側の支持部材５７との間に姿勢修正手段５８を介在することによって、両可動枠１０４ａ，１０４ｂの上下の端縁を確実に当接させることができる。
【００６８】
以上、本発明の各実施例について詳述したが、本発明はこの各実施例に限定されるものではなく、本発明の趣旨を逸脱しない範囲で種々の変更が可能である。例えば、実施例では、可動部材として開閉扉５３ａ，５３ｂ、揺動部材９８ａ，９８ｂ、可動枠１０４ａ，１０４ｂを例示しているが、その他のものでもよい。またその場合、相手側部材を当接部材８４として、可動部材を１個にしてもよいし、３個以上の可動部材を相対移動自在に配置してもよい。
【００６９】
姿勢修正手段５８は隣り合う両可動部材に設けてもよいし、可動部材とこの可動部材に相対向する当接部材８４等の相手側部材との両方に設けてもよい。相手側部材と可動部材は遠近方向に相対移動自在であれば十分である。
【００７０】
姿勢修正手段５８は各実施形態に例示するような構成のものが適当であるが、相手側部材と可動部材とが離間状態のときに一方の部材を支持部材５７に対して適正姿勢に付勢し、且つ相手側部材と可動部材とが接近したときに他方の部材に連動して付勢に抗しながら一方の部材を該他方の部材と対応する対応姿勢に修正するものであれば、他の機構を採用することも可能である。
【００７１】
また本発明はアレンジボール機、雀球遊技機等の他の弾球遊技機、更にはスロットマシン等の各種の遊技機においても同様に実施可能であることは云うまでもない。
【符号の説明】
【００７２】
２９  画像表示手段
４３  可動演出手段
５３ａ，５３ｂ  開閉扉（可動部材）
５７  支持部材
５８  姿勢修正手段
６４  案内手段
６５  付勢手段
８４  当接部材
９５  枢軸
Ｘ  突出位置
Ｙ  退避位置
【図１】
2011224193.tif 000003
【図２】
2011224193.tif 000004
【図３】
2011224193.tif 000005
【図４】
2011224193.tif 000006
【図５】
2011224193.tif 000007
【図６】
2011224193.tif 000008
【図７】
2011224193.tif 000009
【図８】
2011224193.tif 000010
【図９】
2011224193.tif 000011
【図１０】
2011224193.tif 000012
【図１１】
2011224193.tif 000013
【図１２】
2011224193.tif 000014
【図１３】
2011224193.tif 000015
【図１４】
2011224193.tif 000016
【図１５】
2011224193.tif 000017
【図１６】
2011224193.tif 000018
【図１７】
2011224193.tif 000019
【図１８】
2011224193.tif 000020
【図１９】
2011224193.tif 000021
【図２０】
2011224193.tif 000022
【図２１】
2011224193.tif 000023
【図２２】
2011224193.tif 000024
【図２３】
2011224193.tif 000025